(57)【要約】【課題】  液体芳香剤が入った芳香具容器の口部にラタン（籐）などの蒸散棒を立てて香りを蒸散させる芳香具は、蒸散棒同士が接触したり片方に束になって寄ったりして、乱雑に配置されてしまい、見た目やが悪く芳香が効果的に蒸散されないという課題があった。【解決手段】  芳香具容器（３）の口部（３ａ）から上方に延出した部分の複数の蒸散棒（４）を支える支持具を備えたことで、蒸散棒（４）が間隔をおいて上方に向かって放射状に広がるようにバランス良く整然と配置して立てることを可能とした。【選択図】図１
2019130259.tif 000002
【特許請求の範囲】
【請求項１】
液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備えたことを特徴とする芳香具の蒸散棒支持方法。
【請求項２】
液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備え、支持具は、薄板状の樹脂素材からなり、支持具の外周部分あるいは内周部分の両方あるいは一方に蒸散棒を支持するための支持部を備えたことを特徴とする請求項１に記載の芳香具の蒸散棒支持方法。
【請求項３】
液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備え、支持具は、薄板状の樹脂素材からなり、支持具の外周部分あるいは内周部分の両方あるいは一方に蒸散棒を支持するための支持部を支持具の同一円周上に均等に複数備えたことを特徴とする請求項１乃至請求項２の何れかに記載の芳香具の蒸散棒支持方法。
【請求項４】
液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備え、支持具は、薄板状の樹脂素材からなり、支持具の外周部分あるいは内周部分の両方あるいは一方に蒸散棒を支持するための支持部を支持具の同一円周上に均等に複数備え、蒸散棒の芳香具容器から上方に延出した部分の長手方向の中間部分と支持具の支持部とが接する第１支持点、蒸散棒と芳香具容器の口部の上端部内側とが接する第２支持点、蒸散棒の下端部と芳香具容器の内側底面とが接する第３支持点の３点によって蒸散棒を支持することを特徴とする請求項１乃至請求項３の何れかに記載の芳香具の蒸散棒支持方法。
【請求項５】
支持具は、キャップ状の樹脂素材からなり、支持具の上面部分に蒸散棒を支持するための支持部を同一円周上に均等に複数備えたことを特徴とする請求項１乃至請求項４の何れかに記載の芳香具の蒸散棒支持方法。
で解決される。
【請求項６】
支持具は、逆円錐台形状の樹脂素材からなり、逆円錐台形状の支持具の側面部分に上下方向に溝状の支持部を逆円錐台形状の平面視円周方向に対して等間隔に複数備えたことを特徴とする請求項１乃至請求項５の何れかに記載の芳香具の蒸散棒支持方法。
【発明の詳細な説明】
【技術分野】
【０００１】  本発明は、液体芳香剤が入った芳香具容器の口部にラタン（籐）などの蒸散棒を立てて香りを蒸散させる芳香具に関し、特に容器の口部から上方に延出した蒸散棒をバランス良く間隔をおいて配置することのできる芳香具の蒸散棒支持方法に関する。
【背景技術】
【０００２】  液体芳香剤が入った容器の口部にラタン（籐）などの蒸散棒を立てて香りを蒸散させる芳香具がよく知られている。例えば、特開２０１１−４８６７号公報（特許文献１）の図８及び本発明の図１３を参照されたい。このような芳香具は、液体芳香剤が入りスクリューキャップにより口部が密封されたガラス瓶などの容器と、液体芳香剤を毛細管現象によって吸い上げて空間に香り成分を蒸散させるラタン（籐）や竹、木、樹脂などの素材からなる蒸散棒が複数本セットとなってパッケージされている。使用する際は、容器の開口部を密閉しているスクリューキャップを外して、開口部に複数本の蒸散棒を挿し込み立ててセットする。
【先行技術文献】
【特許文献】
【０００３】
【特許文献１】特開２０１１−４８６７号公報
【発明の概要】
【発明が解決しようとする課題】
【０００４】  図１３は、従来の蒸散棒を用いた芳香具を示した図である。図１３に示されるように、容器の口部から上方に延出した蒸散棒は、容器の内部や口部に蒸散棒を位置決めするような凹みを備えるなどといった工夫はまったくされていないので、自由に動き不安定に配置される。その結果、図１３に示されるように蒸散棒同士が接触したり、片方に寄ったりして乱雑に配置されることになる。このような状態においては、見栄えが悪く、また蒸散棒同士が接触していることで効率よく香料成分を蒸散させることができないという課題があった。また、整然と配置したとしても、蒸散棒は固定されていないので、芳香具自体や蒸散棒に少し触れるなどといった些細なことでも蒸散棒の配置が乱雑になってしまう。【０００５】  また、特許文献１の揮散装置は、当該文献の段落番号０００６から０００７に記載されるように、従来の揮散装置は、吸上芯（蒸散棒）を挿入する為に容器体の口部の開口面積が大きいため、当該容器体が倒れた際に収容された液状薬剤がこぼれ易いという課題に鑑みてなされたもので、当該文献の請求項１に記載されるように、容器の開口部の外周部を、該開口部から上方へ向かうに従って外周方向に向けて傾斜する傾斜面で構成したので、上方へ向かうに従って拡開する拡開形状に形成して吸上芯の挿入を容易としつつ、転倒時の液状薬剤の不用意なこぼれを抑制することができるものであるが、当該文献の段落番号００２６や００６３には、開口部に挿入された複数の吸上芯を放射状に延出することができ、美観を高めるとともに液状薬剤の揮散範囲を拡大したり、拡散量を増大することができるとの記載もみられる。【０００６】  しかしながら、特許文献１の揮散装置では、本来の目的ではない開口部に挿入された複数の吸上芯を放射状に延出することができ、美観を高めるとともに液状薬剤の揮散範囲を拡大したり、拡散量を増大したりすることができるといった記載もあるとはいえ、複数の吸上芯の延出状態の美観や液状薬剤の揮散範囲拡大や拡散量の増大を主な目的とするには、容器の開口部に一体や別体で傾斜面を備える必要があり、専用の成形金型や追加部品が必要となるなどコスト増大や部品管理などの観点から不都合が生じ、単に開口部を有する様々なサイズの容器に汎用的に使用できるものではない。【０００７】  そこで本発明は、前述の課題を解消するとともに、液体芳香剤が入った容器の口部にラタン（籐）などの蒸散棒を立てて香りを蒸散させる芳香具において、容器の口部から上方に延出した蒸散棒をバランス良く間隔をおいて安定して配置することのできる芳香具の蒸散棒支持方法を提供することを目的とする。
【課題を解決するための手段】
【０００８】  かかる課題を解決するために本発明の請求項１によれば、液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備えたことで解決される。【０００９】  かかる課題を解決するために本発明の請求項２によれば、液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備え、支持具は、薄板状の樹脂素材からなり、支持具の外周部分あるいは内周部分の両方あるいは一方に蒸散棒を支持するための支持部を備えたことで解決される。【００１０】  かかる課題を解決するために本発明の請求項３によれば、液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備え、支持具は、薄板状の樹脂素材からなり、支持具の外周部分あるいは内周部分の両方あるいは一方に蒸散棒を支持するための支持部を支持具の同一円周上に均等に複数備えたことで解決される。【００１１】  かかる課題を解決するために本発明の請求項４によれば、液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備え、支持具は、薄板状の樹脂素材からなり、支持具の外周部分あるいは内周部分の両方あるいは一方に蒸散棒を支持するための支持部を支持具の同一円周上に均等に複数備え、蒸散棒の芳香具容器から上方に延出した部分の長手方向の中間部分と支持具の支持部とが接する第１支持点、蒸散棒と芳香具容器の口部の上端部内側とが接する第２支持点、蒸散棒の下端部と芳香具容器の内側底面とが接する第３支持点の３点によって蒸散棒を支持することで解決される。【００１２】  かかる課題を解決するために本発明の請求項５によれば、支持具は、キャップ状の樹脂素材からなり、支持具の上面部分に蒸散棒を支持するための支持部を同一円周上に均等に複数備えたことで解決される。【００１３】  かかる課題を解決するために本発明の請求項６によれば、支持具は、逆円錐台形状の樹脂素材からなり、逆円錐台形状の支持具の側面部分に上下方向に溝状の支持部を逆円錐台形状の平面視円周方向に対して等間隔に複数備えたことで解決される。
【発明の効果】
【００１４】  本発明の請求項１によれば、液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備えたことで、芳香具容器の口部から上方に延出した部分の複数の蒸散棒を、最小の部品点数及びコストで、間隔をおいて上方に向かって放射状に広がるようにバランス良く整然と配置して立てることを可能とした。【００１５】  本発明の請求項２によれば、液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備え、支持具は、薄板状の樹脂素材からなり、支持具の外周部分あるいは内周部分の両方あるいは一方に蒸散棒を支持するための支持部を備えたことで、芳香具容器の口部から上方に延出した部分の複数の蒸散棒を、最小の部品点数及びコストで、間隔をおいて上方に向かって放射状に広がるようにバランス良く整然と配置して立てることを可能とした。【００１６】  本発明の請求項３によれば、液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備え、支持具は、薄板状の樹脂素材からなり、支持具の外周部分あるいは内周部分の両方あるいは一方に蒸散棒を支持するための支持部を支持具の同一円周上に均等に複数備えたことで、芳香具容器の口部から上方に延出した部分の複数の蒸散棒を、最小の部品点数及びコストで、間隔をおいて上方に向かって放射状に広がるようにバランス良く整然と配置して立てることを実現した。
解決される。【００１７】  本発明の請求項４によれば、液体芳香剤が入った芳香具容器の口部にラタン（籐）などの複数本の蒸散棒を立てて香りを蒸散させる芳香具において、容器の口部から上方に延出した部分の複数の蒸散棒を支える支持具を備え、支持具は、薄板状の樹脂素材からなり、支持具の外周部分あるいは内周部分の両方あるいは一方に蒸散棒を支持するための支持部を支持具の同一円周上に均等に複数備え、蒸散棒の芳香具容器から上方に延出した部分の長手方向の中間部分と支持具の支持部とが接する第１支持点、蒸散棒と芳香具容器の口部の上端部内側とが接する第２支持点、蒸散棒の下端部と芳香具容器の内側底面とが接する第３支持点の３点によって蒸散棒を支持するようにしたことで、芳香具容器の口部から上方に延出した部分の複数の蒸散棒を、最小の部品点数及びコストで、間隔をおいて上方に向かって放射状に広がるようにバランス良く整然と配置して立てることを実現した。【００１８】  本発明の請求項５によれば、支持具は、キャップ状の樹脂素材からなり、支持具の上面部分に蒸散棒を支持するための支持部を同一円周上に均等に複数備えたことで、芳香具容器の口部から上方に延出した部分の複数の蒸散棒を、最小の部品点数及びコストで、間隔をおいて上方に向かって放射状に広がるようにバランス良く整然と配置して立てることを実現した。解決される。【００１９】  本発明の請求項６によれば、支持具は、逆円錐台形状の樹脂素材からなり、逆円錐台形状の支持具の側面部分に上下方向に溝状の支持部を逆円錐台形状の平面視円周方向に対して等間隔に複数備えたことで、芳香具容器の口部から上方に延出した部分の複数の蒸散棒を、最小の部品点数及びコストで、間隔をおいて上方に向かって放射状に広がるようにバランス良く整然と配置して立てることを実現した。
【図面の簡単な説明】
【００２０】
【図１】本発明の第１実施例を示す正面断面図である。
【図２】本発明の第１実施例を示す平面図である。
【図３】支持具の平面図である。
【図４】第１実施例の説明図である。
【図５】第１実施例の説明図である。
【図６】第１実施例の支持具の他の形態例を示す図である。
【図７】第１実施例の支持具の他の形態例を示す図である。
【図８】第１実施例の支持具の他の形態例を示す図である。
【図９】本発明の第２実施例を示す正面断面図である。
【図１０】本発明の第２実施例を示す平面図である。
【図１１】本発明の第３実施例を示す正面断面図である。
【図１２】本発明の第３実施例の外観を示す斜視図である。
【図１３】従来例を示す図である。
【発明を実施させるための形態】
【００２１】  液体芳香剤が入った芳香具容器の口部にラタン（籐）などの複数本の蒸散棒を立てて香りを蒸散させる芳香具において、容器の口部から上方に延出した部分の複数の蒸散棒を、最小の部品点数及びコストで、間隔をおいて上方に向かって放射状に広がるように整然と配置して立てることを実現した。
【実施例１】
【００２２】  本発明の芳香具の蒸散棒支持方法の第１実施例について、図面を参照して詳細に説明する。図１は、本発明の第１実施例を示す正面断面図、図２は、本発明の第１実施例を示す平面図である。図１及び図２に示されるように芳香具本体（１）は、支持具（２）、芳香具容器（３）、蒸散棒（４）とから構成される。【００２３】  図３は、支持具（２）の平面図である。図３に示されるように、支持具（２）は、毛細管現象によって液体芳香剤がしみ込まず、液体芳香剤に含まれる香料成分によるダメージを受けることのない、ポリエチレン、ポリプロピレン、ナイロン、塩化ビニールなどの薄板（１から３ｍｍ程度）の樹脂素材からなる。また、支持具（２）の外周や外周の内側には同一円の円周の方向に対して等間隔に蒸散棒（４）を支持するための複数の支持部（２ａ）を備える。また、支持部（２）の大きさは、蒸散棒（４）の直径よりも大きく、蒸散棒（４）を支持したときに、きつく嵌め入れて支持されるのではなく、多少グラグラに余裕をもって支持される程度がよい。そして、支持具（２）は、前記したような薄板素材からなるので、全体をトムソン型（ビク型）などの打ち抜き型によって容易に形成することができる。トムソン型は、高価な射出成形金型と異なり低コストで制作が可能であり、薄板素材を打ち抜き形成するだけで形成可能であるので極めて容易かつ低コストで生産することができる。【００２４】  芳香具容器（３）は、図２に示されるように横長の長方形で、内部に液体芳香剤が充填されており、無色透明、有色透明、有色不透明などのガラス瓶である。また、芳香具容器（３）の上部には口部（３ａ）が立設され、図示しないが店頭に陳列する際は、口部（３ａ）は、スクリューキャップなどで密封されている。【００２５】  蒸散棒（４）は、液体芳香剤を毛細管現象によって吸い上げて空間に香り成分を蒸散させるために、ラタン（籐）や竹、木、樹脂などの素材から直径２から３ｍｍ程度、長さ２００ｍｍ前後で棒状に形成される。芳香具容器（３）の口部（３ａ）に蒸散棒（４）を挿し入れて液体芳香剤に浸されることで毛細管現象によって液体芳香剤が口部（３ａ）から上方に延出した部分の蒸散棒（４）から空間に香り成分を蒸散させる。【００２６】  このように構成された芳香具本体（１）は、図１及び図２に示されるように、芳香具容器（３）の口部（３ａ）から上方に延出した部分の複数の蒸散棒（４）を、支持具（２）によって間隔をおいて上方に向かって放射状に広がるようにバランス良く整然と配置して立てることができるようにしたものである。【００２７】  図４は、第１実施例の説明図である。どのようにして支持具（２）によって複数の蒸散棒（４）を間隔をおいて放射状にバランス良く整然と配置するかを説明するために、先ず図１３に示される従来例をについてあらためて説明をする。図１３に示されるように、芳香具容器（３）の口部（３ａ）に挿し入れられた複数の蒸散棒（４）は、芳香具容器（３）の内側底面（３ｂ）の隅に下端部が位置し、口部（３ａ）の上端部の内側に中間部分がもたれかかるように位置して、芳香具容器（３）の内側底面（３ｂ）の隅と口部（３ａ）の上端部内側の２箇所に当接して口部（３ａ）から斜め上方に延出することになる。また、芳香具容器（３）の口部（３ａ）の上端部内側や内側底面（３ｂ）の隅には、蒸散棒（４）が位置決め支持できるような凹みなどを備えるといった工夫はまったくされていないので、図１３に示されるように蒸散棒（４）の位置が定まらず乱雑に配置されることになる。また、バランス良く整然と配置したとしても、蒸散棒は固定されていないので、芳香具自体や蒸散棒に少し触れるなどといった些細なことでも蒸散棒の配置が乱雑になってしまう。【００２８】  そこで、図４に示されるように、芳香具容器（３）の口部（３ａ）の上方から延出した複数の蒸散棒（４）の長手方向中間部分に、支持具（２）の外周部分かつ円周方向に等間隔にＵ字状に備えた支持部（２ａ）にそれぞれの蒸散棒（４）を入れて支持する。なお、図３に示されるように支持具（２）の外周の内側部分に開孔して備えた支持部（２ａ）に蒸散棒（４）を挿し入れて支持してもよく、この場合は、外周部分の支持部（２ａ）よりも内側で径が小さくなるので支持具（２）は図１に示された高さ位置よりも上方に位置することになるとともに上方に向かって狭く放射状に広がることになる。【００２９】  そして、蒸散棒（４）と支持具（２）の支持部（２ａ）との接点を第１支持点（５ａ）、蒸散棒（４）と芳香具容器（３）の口部（３ａ）の上端部内側との接点を第２支持点（５ｂ）、蒸散棒（４）と芳香具容器（３）の内側底面（３ｂ）との接点を第３支持点（５ｃ）として、第１支持点（５ａ）、第２支持点（５ｂ）、第３支持点（５ｃ）の３点によって蒸散棒（４）を支持することによって複数の蒸散棒（４）を間隔をおいて上方に向かって放射状に広がるようにバランス良く整然と配置して立てることが可能となった。【００３０】  図５は、図４と同じく第１実施例の説明図である。図５は、平面視円形の芳香具容器（３）に蒸散棒（４）を入れて支持具（２）を用いた状態を示したものである。複数の蒸散棒（４）個々の下端部である第３支持点（５ｃ）は、芳香具容器（３）の内面が円形であるが故に、内側底面（３ｂ）の隅に円周方向にほぼ均等に間隔をおいて配置される。従って図４に示した芳香具容器（３）が平面視長方形の場合と異なって、支持具（２）の高さ位置は図４のときと比較して低くなるとともに、蒸散棒（４）は上方に向かってより広く放射状に広がりバランス良く配置されることになる。【００３１】  図６から図８は、第１実施例の支持具（２）の他の形態例を示す図である。図６は、図３に示した支持具（２）と比較して外周の内側部分の複数の支持部（２ａ）を無くし、外周部分だけに支持部（２ａ）を備えて打ち抜き形成したものである。これにより、図６中に「ＰＲＩＮＴ」の文字で示されるように、表面部分の面積を十分に備えることができ、ここに香りの種類の名称や香りのイメージのイラストや写真などの各種デザインを印刷して、芳香具本体（１）の意匠性をより高めることを可能とした。【００３２】  図７は、支持具（２）の外形形状を花形に打ち抜き形成したものである。花形は一例であり、様々な幾何学模様、星型、キャラクターなどの外形形状が考えられる。何れの形状においても、支持部（２ａ）は、支持具（２）の外周部分や外周の内側部分には��一円の円周方向に対して等間隔に蒸散棒（４）を支持するための複数の支持部（２ａ）を備えることで、複数の蒸散棒（４）を間隔をおいて上方に向かって放射状に広がるようにバランス良く整然と配置して立てることを可能とした。【００３３】  図８は、支持具（２）を網状に打ち抜き形成したものである。例えば図８中、黒丸で示した網穴部分に蒸散棒（４）を挿し入れることで、複数の蒸散棒（４）を間隔をおいて上方に向かって放射状に広がるようにバランス良く整然と配置して立てることができるものである。また、網状に形成されているので、黒丸で示した位置よりも内側の網穴部分に挿し入れるなど適宜網穴を選択して蒸散棒（４）を挿し入れても良い。
【実施例２】
【００３４】  本発明の芳香具の蒸散棒支持方法の第２実施例について、図面を参照して詳細に説明する。図９は、本発明の第２実施例を示す正面断面図、図１０は、本発明の第２実施例を示す平面図である。図９及び図１０に示されるように芳香具本体（１１）は、支持具（２１）、芳香具容器（３）、蒸散棒（４）とから構成され、支持具（２１）以外の芳香具容器（３）、蒸散棒（４）は、第１実施例と共通であるので説明は省略する。【００３５】  第２実施例においては、支持具（２）の形状を第１実施例とは異なる形態としたが、蒸散棒（４）と支持具（２１）の支持部（２１ａ）との接点を第１支持点（５ａ）、蒸散棒（４）と芳香具容器（３）の口部（３ａ）の上端部内側との接点を第２支持点（５ｂ）、蒸散棒（４）と芳香具容器（３）の内側底面（３ｂ）との接点を第３支持点（５ｃ）として、第１支持点（５ａ）、第２支持点（５ｂ）、第３支持点（５ｃ）の３点によって蒸散棒（４）を支持することによって複数の蒸散棒（４）を間隔をおいて上方に向かって放射状に広がるようにバランス良く整然と配置して立てることについては変わりない。【００３６】  第１実施例において支持具（２）は、薄板を打ち抜いて形成したが、第２実施例の支持具（２１）は、芳香具容器（３）の口部（３ａ）に嵌めるようにキャップ状に形成したことを特徴としている。口部（３ａ）装着する構造については特に図示しないが、スクリュー式、嵌め込み式などである。また、支持具（２１）は、毛細管現象によって液体芳香剤がしみ込まず、液体芳香剤に含まれる香料成分によるダメージを受けることのない、ポリエチレン、ポリプロピレン、ナイロン、塩化ビニールなどの樹脂素材からなり射出成形で形成される。【００３７】  図１０に示されるように、支持具（２１）の支持部（２１ａ）は、外形の内側に同一円の円周方向に対して等間隔に蒸散棒（４）を支持するための複数の支持部（２１ａ）を備えている。この支持部（２１ａ）に挿し入れられた蒸散棒（４）は、蒸散棒（４）と支持具（２１）の支持部（２１ａ）との接点を第１支持点（５ａ）、蒸散棒（４）と芳香具容器（３）の口部（３ａ）との接点を第２支持点（５ｂ）、蒸散棒（４）と芳香具容器（３）の内側底面（３ｂ）との接点を第３支持点（５ｃ）として、第１支持点（５ａ）、第２支持点（５ｂ）、第３支持点（５ｃ）の３点によって蒸散棒（４）を支持することによって複数の蒸散棒（４）を間隔をおいて上方に向かって放射状に広がるようにバランス良く整然と配置して立てることができるのである。第２実施例においては、支持具（２１）をキャップ状に形成したので芳香具容器（３）とより一体感を得ることができ、第１実施例の意匠性とはまた別な意匠性を得ることが可能となる。
【実施例３】
【００３８】  本発明の芳香具の蒸散棒支持方法の第３実施例について、図面を参照して詳細に説明する。図１１は、本発明の第３実施例を示す正面断面図、図１２は、本発明の第３実施例の外観を示す斜視図である。図１１及び図１２に示されるように芳香具本体（１２）は、支持具（２２）、芳香具容器（３）、蒸散棒（４）とから構成され、支持具（２２）以外の芳香具容器（３）、蒸散棒（４）は、第１実施例及び第２実施例と共通であるので説明は省略する。【００３９】  第３実施例においては、支持具（２）の形状を第１実施例及び第２実施例とは異なる形態としたが、蒸散棒（４）と支持具（２１）の支持部（２１ａ）との接点を第１支持点（５ａ）、蒸散棒（４）と芳香具容器（３）の口部（３ａ）の上端部内側との接点を第２支持点（５ｂ）、蒸散棒（４）と芳香具容器（３）の内側底面（３ｂ）との接点を第３支持点（５ｃ）として、第１支持点（５ａ）、第２支持点（５ｂ）、第３支持点（５ｃ）の３点によって蒸散棒（４）を支持することによって複数の蒸散棒（４）を間隔をおいて上方に向かって放射状に広がるようにバランス良く整然と配置して立てることについては変わりない。【００４０】  第１実施例において支持具（２）は、薄板を打ち抜いて形成、第２実施例において支持具（２１）は、キャップ状に形成したが、第３実施例の支持具（２２）は、芳香具容器（３）の口部（３ａ）に上方から挿し込むように逆円錐台形状に形成したことを特徴としている。また、支持具（２２）は、毛細管現象によって液体芳香剤がしみ込まず、液体芳香剤に含まれる香料成分によるダメージを受けることのない、ポリエチレン、ポリプロピレン、ナイロン、塩化ビニールなどの樹脂素材からなり射出成形で形成される。【００４１】  図１１及び図１２に示されるように、支持具（２２）の支持部（２２ａ）は、逆円錐台形状の側面部分の上下方向に溝状の支持部（２２ａ）を逆円錐台形状の平面視円周方向に対して等間隔に複数備えている。なお、支持部（２２ａ）は、逆円錐台の側面部分の上下方向に溝状で形成されているが、蒸散棒（４）を支持する実質的な支持部（２２ａ）は、図１１の第１支持点（５ａ）に示されるように逆円錐台形状の支持具（２２）の底面に位置する部分である。【００４２】  図１１及び図１２において支持部（２２ａ）は６箇所備えられているので、芳香具容器（３）に６本の蒸散棒（４）を挿し入れた後に、上方から逆円錐台形状の支持具（２２）の複数の支持部（２２ａ）の溝それぞれに蒸散棒（４）が沿うように挿し込むことによって、蒸散棒（４）と支持具（２２）の支持部（２２ａ）との接点を第１支持点（５ａ）、蒸散棒（４）と芳香具容器（３）の口部（３ａ）との接点を第２支持点（５ｂ）、蒸散棒（４）と芳香具容器（３）の内側底面（３ｂ）との接点を第３支持点（５ｃ）として、第１支持点（５ａ）、第２支持点（５ｂ）、第３支持点（５ｃ）の３点で蒸散棒（４）を支持することによって複数の蒸散棒（４）を間隔をおいて上方に向かって放射状に広がるようにバランス良く整然と配置して立てることができるのである。第３実施例においては、支持具（２２）を逆円錐台形状に形成したので、あたかもコルクで栓をしたかの如くのクラシカ��な意匠性、ゴム栓をしたかの如くの薬品容器的な特異な意匠性を得ることが可能となる。
【符号の説明】
【００４３】１          芳香具本体
１１        芳香具本体
１２        芳香具本体
２          支持具
２１        支持具
２２        支持具
２ａ        支持部
２１ａ      支持部
２２ａ      支持部
３          芳香具容器
３ａ        口部
３ｂ        内側底面
４          蒸散棒
５ａ        第１支持点
５ｂ        第２支持点
５ｃ        第３支持点
【図１】
2019130259.tif 000003
【図２】
2019130259.tif 000004
【図３】
2019130259.tif 000005
【図４】
2019130259.tif 000006
【図５】
2019130259.tif 000007
【図６】
2019130259.tif 000008
【図７】
2019130259.tif 000009
【図８】
2019130259.tif 000010
【図９】
2019130259.tif 000011
【図１０】
2019130259.tif 000012
【図１１】
2019130259.tif 000013
【図１２】
2019130259.tif 000014
【図１３】
2019130259.tif 000015